(57)【要約】      （修正有）【課題】設置及び移動が容易なポータブルトイレを提供する。【解決手段】背板３、底板４、左右扉５、６、及び天板７によって構成されてなる箱体２と、箱体内部に設けられた小便器ユニットと、を備え、各左右扉は、それぞれが箱体の外側に向って突出する弧形状、又はそれぞれが箱体の外側に向って突出する１若しくは複数の角を有する形状であって、背板の左右側端を軸にして左右に回動して開閉可能に軸着されてなることを特徴とする。これにより、軽量化及び省スペース化が実現でき、移動及び設置が容易になり、かつ、局部遮蔽効果を奏することにより安心して用を足すことができる。【選択図】図３
0003221489.tif 000002
【実用新案登録請求の範囲】
【請求項１】
背板、底板、左右扉、及び天板によって構成されてなる箱体と、
前記箱体内部に設けられた小便器ユニットと、を備え、
前記各左右扉は、それぞれが箱体の外側に向って突出する弧形状、又はそれぞれが箱体の外側に向って突出する１若しくは複数の角を有する形状であって、前記背板の左右側端を軸にして左右に回動して開閉可能に軸着されてなる
ことを特徴とするポータブルトイレ。
【請求項２】
前記小便器ユニットは、
上方向に開放口が形成されてなる汚水を貯留可能な汲取タンクと、
前記汲取タンクに設けられた閉塞栓を有する開口と、
前記開放口を閉塞するように着脱自在に前記汲取タンクに載置されてなる小便器と、を有する
ことを特徴とする請求項１に記載のポータブルトイレ。
【請求項３】
前記小便器ユニットは、
上方向に開放口が形成されてなる汚水を貯留可能な汲取タンクと、
前記汲取タンクに設けられた閉塞栓を有する開口と、
前記開放口を閉塞するように前記開放口の口縁周りの前記汲取タンクの一部、若しくは背板の上部に軸着されて、当該軸着部を回動中心として前記開放口を開閉可能に設けられてなる小便器と、を有する
ことを特徴とする請求項１に記載のポータブルトイレ。
【請求項４】
前記底板は、
前記汲取タンクよりも正面側に突出してなる
ことを特徴とする請求項２若しくは請求項３に記載のポータブルトイレ。
【請求項５】
前記天板は、
前記箱体から離間する方向に回動可能に、前記背板の上端に軸着されてなる
ことを特徴とする請求項１から請求項４のいずれか１つに記載のポータブルトイレ。
【請求項６】
前記箱体の下部に回動自在に軸着されてなる１又は複数の車輪を備えてなる、
ことを特徴とする請求項１〜請求項５のいずれか１つに記載のポータブルトイレ。
【請求項７】
前記車輪は、
前記車輪の外周面が、前記底板の裏面と面一、若しく前記底板の裏面よりも上方向に配設されてなり、かつ、前記背板から突出するように配設されてなる
ことを特徴とする請求項６に記載のポータブルトイレ。
【請求項８】
前記箱体は、
前記背板、若しくは／及び前記天板における前記箱体外側面に把手を有してなる
ことを特徴とする請求項１〜請求項７のいずれか１つに記載のポータブルトイレ。
【考案の詳細な説明】
【技術分野】
【０００１】
本考案は、屋内外で使用するポータブルトイレに関する。
【背景技術】
【０００２】
従来、建設現場や公園などの屋外では、クレーンなどを用いて移動させることが可能な略長方体のポータブルトイレが利用されている。
【先行技術文献】
【特許文献】
【０００３】
【特許文献１】特開２００３−１７１９６７号公報
【特許文献２】特開２０１４−１３６１０１号公報
【考案の概要】
【考案が解決しようとする課題】
【０００４】
従来、建設現場や公園などの屋外では、クレーンなどの重機を用いて移動及び設置が可能な略長方体のポータブルトイレが利用されている。しかし、これらのポータブルトイレを設置するためには上記のような重機を用いることが必要であったため、設置及び移動が大変煩わしかった。
【０００５】
さらに、小規模の建設現場などでは、限られた面積の中でポータブルトイレを設置する必要があり、ポータブルトイレの省スペース化に対しての強いニーズがあった。
【０００６】
また、建設現場などへの仮設トイレの搬入の煩わしさから、所謂、立小便が行われるといった問題も存在する。
【０００７】
なお、省スペース化を図った先行技術として、特許文献２にポータブルトイレの例が記載されているが、便座に着座して使用した際には、使用者の前面を隠すものがなく、また、立ったままで使用した場合も左右を遮蔽するものがないため、一般的にこのような形状のポータブルトイレを屋外で使用することには、心理的な抵抗があると考えられる。なお、特許文献２に係るポータブルトイレには、前後左右を遮蔽するためにテントを用いることができる旨の記載があるが、テントの設営は極めて煩わしく、また、保管にも手間とスペースをとってしまうという問題がある。
【０００８】
したがって、使用者の多くが男性であったとしても、局部を外部の目から遮蔽することは極めて重要である。
【０００９】
また、省スペース化を実現しようとすると、ポータブルトイレ内部の使用時空間が狭くなってしまうというトレードオフの問題も存在する。
【００１０】
また、近年タワーマンションと称される超高層マンションやオフィスビルの建設が活況だがその建築現場では用を足すのに一階まで降りる必要があり、その都度仮設のエレベーターを使用する訳にもいかず、運搬に容易なポータブルトイレの需要が増してきていた。
【課題を解決するための手段】
【００１１】
本明細書及び実用新案登録請求の範囲において、正面側とは、箱体内部から見て背板の逆方向を、背面側とは、箱体内部から見て背板の方向を、上方とは、箱体内部から見て閉じている状態の天板の方向を、下方とは、箱体内部から見て底板の方向を、それぞれ意味するものとする。
【００１２】
前記の種々の課題を解決するために、本考案はなされた。本考案に係るポータブルトイレは、背板、底板、左右扉、及び天板によって構成されてなる箱体と、前記箱体内部に設けられた小便器ユニットと、を備え、前記各左右扉は、それぞれが箱体の外側に向って突出する弧形状、又はそれぞれが箱体の外側に向って突出する１若しくは複数の角を有する形状であって、前記背板の左右側端を軸にして左右に回動して開閉可能に軸着されてなることを特徴とする。
【００１３】
前記各左右扉の形状としては、前記箱体外側に向って突出した形状であることが必要である。これは、当該形状により構成されていることにより、前記各左右扉の開状態において、放尿中の使用者を包み込む箱体の形態を実現することができるからである。当該形状により、本考案に係るポータブルトイレの使用者は、局部を周囲の人から見られることがないように各左右扉が隠してくれているという安心感を抱き、リラックスして用を足すことができる。さらに、当該形状により構成されていることで、本ポータブルトイレを使用する際に、使用時空間が左右方向に広がりを持つこととなる。
【００１４】
上記各左右扉の形状は、半円形状であることが好ましい。左右扉を左右に回動して開くことで、局部遮蔽効果を十分に奏し、かつ、使用時空間を左右に広く確保することができるからである。しかし、半円形状に限られるものではなく、その他の弧形状や、外側に突出した１又は複数の角を有する形状でもよい。
【００１５】
なお、前記の各左右扉は、前記背板の左右側端を軸にして左右に回動させ、閉状態とした場合に、それぞれの回動中心軸の反対側の扉端部が互いに当接することとしてもよく、また、一方の扉の外側面の一部若しくは全部と他方の扉の内側面の一部若しくは全部が重なって略平行に接触することとしてもよい。
【００１６】
上記の構成を採用することにより、従来の略長方体形状のポータブルトイレと比較して、軽量化、並びに省スペース化を実現すると共に、左右方向に広さのある使用時空間を実現ことが可能である。
【００１７】
また、本考案に係るポータブルトイレは、前記背板が、箱体内部に配設されてなる小便器ユニットの裏面と一体として形成されていてもよい。
【００１８】
箱体の素材としては、プラスチック成形によって成形されてなるものを用いることが好ましい。この場合には、ポータブルトイレを軽量にできるからである。また、外部からの光の一部を透過できるプラスチック素材によって成形された場合には、光を透過するため箱体内部が光を透過しない他の素材を用いたときと比較して明るい。しかし、本考案に係るポータブルトイレの素材は上記のものに限らず、金属や木材などを用いることもできる。
【００１９】
小便器ユニットは、上述の通り、箱体内部に設けられなければならない。箱体内部に設けることで、本考案に係るポータブルトイレの局部遮蔽効果を奏するからである。また、小便器ユニットは、背板の箱体内部面に設けられることが好ましいが、背板に限らず、箱体内部であれば、任意の位置を選択可能である。
【００２０】
小便器ユニットの素材としても、プラスチック成形によって成形されてなるものを用いることが好ましい。この場合も、軽量にできるからである。しかし、本考案に係る小便器ユニットの素材は上記のものに限られるものではない。
【００２１】
小便器ユニットは、少なくとも小便器を含むものでなければならない。また、汚水を貯留可能な汲取タンク、若しくは下水管に接続可能な接続手段を有することが好ましい。しかし、小便を受け止めることが可能な構成であれば、上記の構成に限られることなく種々の態様で本考案を実施することができる。
【００２２】
また、前記小便器ユニットが、上方向に開放口が形成されてなる汚水を貯留可能な汲取タンクと、前記汲取タンクに設けられた閉塞栓を有する開口と、前記開放口を閉塞するように着脱自在に前記汲取タンクに載置されてなる小便器と、を有することとしても好ましい。
【００２３】
前記小便器の素材にはプラスチック成形により成形されてなるもの、又は陶器を用いることが好ましい。プラスチック成形により成形されてなるものを用いた場合には、本考案の目的に合致したさらに軽いポータブルトイレを実現することができる。また、陶器を用いた場合には、撥水性を有するため、臭いが付きにくく、清潔で、清掃が容易である。
【００２４】
上方向に開放口が形成さえてなる汚水を貯留可能な汲取タンクを備えることにより、前記小便器を経由して流入する汚水を汲取タンク内部に貯留可能となる。さらに、汲取タンクの上部に載置された小便器を取り外し、汚れがちな汲取タンクを目視して容易に、かつ、きれいに清掃することができる。
【００２５】
また、汲取タンクが閉塞栓を有する開口を備えることにより、汚水の容易な排出が可能となる。当該開口は汲取タンクの下端部に設けられることが好ましい。この場合には、閉塞栓を開口から外すことで汚水が自然落下し、最も容易に汚水を開口から排出することが可能である。しかし、当該開口が配設される位置は上記に限定されるものではなく、例えば、タンク上部に開口を設け、バキュームで汚水を吸い上げるような構成としてもよく、本考案の目的に反しない範囲で種々の構成を採用することができる。
【００２６】
さらに、前記小便器ユニットが、上方向に開放口が形成されてなる汚水を貯留可能な汲取タンクと、前記汲取タンクに設けられた閉塞栓を有する開口と、前記開放口を閉塞するように前記開放口の口縁周りの前記汲取タンクの一部、若しくは背板の上部に軸着されて、当該軸着部を回動中心として前記開放口を開閉可能に設けられてなる小便器と、を有することとしても好ましい。
【００２７】
当該構成によれば、汲取タンク内を清掃する際に、小便器を回動して、開放口を開状態にすることで目視して汲取タンク内を清掃することが可能となるため、清掃を容易かつきれいに行うことができる。また、小便器を下に置くことなく、支持することが可能なため、小便器に地面の砂などが付着し汚れるのを防止することができる。
【００２８】
前記小便器の回動中心となる軸着部としては、前記開放口の口縁周りの前記汲取タンクの一部である汲取タンクの正面側上端、背面側上端、若しくは左右いずれかの側面側上端、又は小便器ユニットに連設されている背板の上部などを採用し得る。
【００２９】
なお、前記いずれの位置に軸着部を設けた場合であっても、小便器を前記汲取タンクから離間する方向へ当該軸着部を中心に回動させることで、前記開放口を閉状態から開状態へと変更することができる。
【００３０】
また、小便器の一端を軸によって支持し、他端を手で把持しても良いが、他端側を支持する支持手段を背板若しくはタンクなどの部材に設けることもできる。
【００３１】
またさらに、前記底板は、前記汲取タンクよりも正面側に突出してなることとしても好ましい。
【００３２】
本ポータブルトイレを利用していると、汚水が貯留された汲取タンクの重量が重くなるが、当該構成により、本ポータブルトイレが正面側に倒れるのを防止し、安定性を高めることが可能になる。
【００３３】
また、底板が汲取タンクよりも正面側に突出してなることにより、斜めに移動させて、把手から手を放して本ポータブルトイレを設置する際に、正面側に本ポータブルトイレが倒れてしまうという事態を防止するために当該底板の踏ん張りが効くようになり、さらに利用しやすいポータブルトイレを提供することができる。
【００３４】
さらにまた、前記天板が、前記箱体から離間する方向に回動可能に、前記背板の上端に軸着されてなることとしても好ましい。
【００３５】
当該構成によれば、運搬時や不使用時には、天板を閉状態とすることで雨水、鳥類などの浸入を防止することができ、使用時には、天板を開状態にすることで、使用者が本考案に係るポータブルトイレの箱体内部に入ることができるようになる。
【００３６】
前記の回動可能な天板を備える構成とした場合は、背板及び、左右扉の上下方向の長さを従来よりも短い、腰、若しくは胸辺りが覆われる長さとすることで、本考案に係るポータブルトイレの極めて顕著な軽量化・省スペース化を図ることができる。
【００３７】
また、前記箱体の下部に回動自在に軸支されてなる１又は複数の車輪を備えてなることとしても好ましい。
【００３８】
前記車輪の態様は、複数の車輪を箱体下部に設け、本ポータブルトイレを当該複数の車輪で支持することで、常時箱体の底板下側面が地面から離れている状態を実現可能な位置、又は、本ポータブルトイレの設置時において箱体底板下側面が地面と接地可能となる位置、例えば、車輪の外周面が底板と面一もしくはそれより上方となり、かつ、箱体の外側周側面から突出することとなる位置に設けることが考えられる。
【００３９】
前記車輪を設けることで、上述した通り極めて軽量かつコンパクトな本考案に係るポータブルトイレを、車輪を用いてさらに容易に移動させることが可能となる。
【００４０】
さらに、前記車輪が、前記車輪の外周面が前記底板の裏面と面一、若しく前記底板の裏面よりも上方向に配設されてなり、かつ、前記背板から突出するように配設されてなることとしても好ましい。
【００４１】
当該構成によれば、本考案に係るポータブルトイレを、車輪の外周面が前記底板の裏面と面一、若しく前記底板の裏面よりも上方向に配設されてなり、かつ、前記背板から突出するように配設されてなる車輪を軸として、前記箱体を底板が地面から離れて、車輪外周が地面に当接するまで地面と垂直方向から背面側へ斜めに傾けることで当該ポータブルトイレを容易に移動させることができる。
【００４２】
さらに、前記車輪が底板の裏面と面一或いはそれより上方に配設されていることにより、当該ポータブルトイレを設置若しくは利用している際に当該ポータブルトイレが車輪の作用により動いてしまうという事態を防止することができる。
【００４３】
さらにまた、前記箱体は、前記背板、若しくは／及び前記天板の前記箱体外側面に把手を有してなることとしても好ましい。
【００４４】
当該構成によれば、本考案に係るポータブルトイレを背面側へ斜めに傾けて移動させる際に、背板、若しくは天板に配設された把手を把持して移動させることが可能なため、さらに容易に当該ポータブルトイレを移動させることができる。
【００４５】
また、把手を背板、及び天板の両方に配設することにより、身長の低い使用者は背板に配設された把手を、身長の高い使用者は天板に配設された把手を把持することが可能となり、身長の異なる様々な使用者が本考案に係るポータブルトイレを容易に移動させることができるようになる。
【００４６】
また、身長の高い使用者の手は地面からより離れる高さに、身長の低い使用者の手はそれよりも多少低い高さに存在することとなるが、それぞれの高さに合わせた把手を選択して把持することで、移動時に箱体の地面に対する角度が斜めに傾き過ぎてしまうという事態や、反対に、あまり傾かないために、底板が地面から離れず、移動させることができないという事態を回避することが可能となる。
【考案の効果】
【００４７】
本考案に係るポータブルトイレによれば、従来の略長方体形状に形成されてなる箱体を有するポータブルトイレと比較して、極めて顕著な軽量化、及び省スペース化を実現することができ、人が箱体の内部に入ると左右方向に広さのある使用時空間を実現することができる。
【００４８】
また、前記各左右扉の外側方向突出形状により、局部を他人に見られてしまうという事態を防止することが可能であり、コンパクトになった本考案に係るポータブルトイレでも、安心して用を足すことができる。
【図面の簡単な説明】
【００４９】
【図１】本考案に係るポータブルトイレ１の正面図である。
【図２】本考案に係るポータブルトイレ１の背面図である。
【図３】本考案に係るポータブルトイレ１の斜視図である。
【図４】本考案に係るポータブルトイレ１の各左右扉５，６及び天板７を開放した状態を表す正面図である。
【図５】本考案に係るポータブルトイレ１の各左右扉５，６及び天板７を開放した状態を表す平面図である。
【図６】本考案に係るポータブルトイレ１の汲取りサイン１８及びその仕組みを表す正面図である。
【図７】本考案に係るポータブルトイレ１の図１のＡ−Ａ線における断面図である。
【図８】小便器を開状態とし、汲取タンク１５の開放口を露出させた状態の本考案に係るポータブルトイレ１の図１のＡ−Ａ線における断面図である。
【図９】本考案に係るポータブルトイレ１の使用状態を表す正面図である。
【図１０】本考案に係るポータブルトイレ１を背板側に傾け、移動させている状態を表す右側面図である。
【考案を実施するための形態】
【００５０】
以下、図面を参照しながら本考案の実施形態について詳しく説明する。
【００５１】
実施形態におけるポータブルトイレは、例えば、建設現場や公園などの屋外に設置して使用され、及びタワーマンションを称される超高層マンションやオフィスビルなどの建築現場の屋内において、任意の階（フロアー）に設置して使用される。
【００５２】
実施形態におけるポータブルトイレ１は、図１、図２及び図３に示すように、背板３、底板４、左扉５、右扉６及び天板７によって構成されてなる箱体２を有する。さらに、当該箱体２の背板３の箱体２外側面には、把手８が設けられている。さらに、当該箱体２の背板３の背面下端部には、二つの車輪９が配設されてなる。
【００５３】
また、図４及び図５に示すように、天板７は背板３の上端に設けられた天板回動軸７ｂを中心に箱体２から離間する方向に回動可能となるよう軸着されている。そして、左扉５は、背板３の左側端の左扉回動軸５ｂを中心に、右扉６は、背板３の右側端の右扉回動軸６ｂを中心に、それぞれ、左右に回動して、扉の開閉が可能となるように軸着されている。
【００５４】
なお、左扉５と右扉６はそれぞれが箱体２の外側に向って突出する弧形状に構成されている。また、天板７の正面側先端には、持ち手７ａが形成されてなる。当該持ち手７ａは、天板７の正面側先端において下方向に曲折し、左扉５及び右扉６の回動をロック可能に左扉５及び右扉６のそれぞれの上端外側面に圧接するようになっている。
【００５５】
またさらに、ポータブルトイレ１は、箱体２の内部である背板３の正面側の面に設けられた小便器ユニット１３を有してなる。また、当該小便器ユニット１３は、小便器１４と、上端に形成されてなる上方向の開放口１６が小便器１４によって閉塞されてなる汲取タンク１５と、汲取りサイン１８とからなる。
【００５６】
なお、図４、図７及び図８に示すように、汲取タンク１５は、例えば、底板４上に固定して配置される。開放口１６は、上方向であって、天板７側に開口されている。
【００５７】
なお、図６に示すように、前記汲取りサイン１８は、汲取タンク１５内部に設けられた浮き１９と、浮き１９に連なって上方に向って柱状に突設されてなる汲取りサイン表示ポール１７と、汲取りサイン表示ポール１７の中間位置の周面に表示された汲取りサイン１８によって、構成される。
【００５８】
また、小便器１４は小便器孔１４ａを有する。図７に示すように、小便器１４は、小便器孔１４ａから、開放口１６を通して、汲取タンク１５内に収納されて、開放口１６を閉塞する。なお、図７に示すように、小便器１４は、開放口１６の口縁周りであって、汲取タンク１５の正面側に係止されている。さらに、汲取タンク１５は、汲取タンク１５下部に開口２０を有し、当該開口２０には閉塞栓２１が設けられている。閉塞栓２１は取外自在に開口２０内に挿入されて、開口２０を閉塞している。
【００５９】
なおさらに、図８に示すように、小便器１４は、背板の上部に設けられた小便器回動軸２２を中心に上下に回動して、開放口１６を開閉可能に軸着されており、その小便器１４の正面側先端には小便器係止部２３が設けられてなる。
【００６０】
さらに、図７に示すように、底板４は、汲取タンク１５よりも正面側に突出してなる。
【００６１】
さらに、図９に示すように、ポータブルトイレ１の上下の長さは、使用者が利用する際に、使用者の胸のあたりまでが隠れる程度となっている。
【００６２】
さらに、図２及び図１０に示すように、２つの車輪９は、箱体２の背板３の左端側及び右端側に車輪軸１０を中心として回動自在に軸着されている。さらに、車輪外周面１１が底板４の裏面と面一となり、かつ、車輪外周面１１が背板３の外側よりも突出する位置に配設されてなる。
【００６３】
上記で、構成を説明した実施形態におけるポータブルトイレ１について、使用者の利用法及び当該利用により生ずる効果を以下で詳説する。
【００６４】
まず、ポータブルトイレ１を用いて用を足す方法から説明する。
【００６５】
まず、ポータブルトイレ１の使用者は、ポータブルトイレ１の天板７を上方に開くことで持ち手７ａを左右扉５，６から外す。これにより、持ち手７ａがロックしていた左扉５及び右扉６の開閉が可能になる。
【００６６】
次に、ロックが解除された左扉５を左側へ、右扉６を右側へそれぞれ開く。これにより、小便器ユニット１３及び使用時空間が使用者の正面に表れる。また、左扉５及び右扉６は外側に突出した形状を保持したまま開くため、使用時空間の左右方向の幅を広く形成することができ、体の大きい使用者にも空間的な余裕を与えることができる。
【００６７】
その次に、使用者は、箱体２の内側であって、開いた左扉５及び右扉６の間に入る。また、必要に応じて、左扉５及び右扉６をそれぞれ内側へ旋回させて、使用者の回りを覆うことができる。
【００６８】
その後、使用者はズボン及びパンツを下ろし、用を足す。ここで、前記の通り、外側突出形状の左扉５及び右扉６が使用者の左右側方及び使用者の背中方向の一部を覆っているため、第三者に局部を露呈することがない。従って、使用者は安心して用を足すことができる。
【００６９】
次に、使用者はズボン及びパンツを上げ、その後、左扉５及び右扉６の間から、箱体２の外部に出る。
【００７０】
また、使用者は左扉５及び右扉６の間から外部に出た後、左扉５及び、右扉６を回動して閉状態とし、その後天板７を回動して閉状態とする。こうすることで、天板７の持ち手７ａが左扉５及び右扉６の上端外側面に圧接して左扉５及び右扉６の回動をロックし、強風が吹いても、左扉５及び右扉６が開かないようにすることができる。
【００７１】
さらに、左扉５、右扉６、及び天板７の全てを閉状態とした場合は、雨天時の雨水の浸入や、虫、鳥類の侵入を防止することができる。
【００７２】
次に、汲取りサイン１８について詳説する。
【００７３】
上記のように用を足すと、係る汚水Ｗは小便器１４を経由して汲取タンク１５に貯留される。
【００７４】
図６に示すように、汲取タンク１５内部には、浮き１９、浮き１９の上方に連なってして設けられた汲取りサイン表示ポール１７、及び汲取りサイン表示ポール１７に設けられた汲取りサイン１８が存在する。なお、汲取りサイン表示ポール１７は、汲取タンク１５に設けられた支持孔に挿通されて倒れないように支持されている。
【００７５】
汲取タンク１５内部に貯留された汚水Ｗの量が一定量を超過し、その後も汚水Ｗの量が増えると、浮き１９に連設されてなる汲取りサイン表示ポール１７が、徐々に上方へと上がってくる。
【００７６】
その後も続けて用を足していると、当該汲取りサイン表示ポール１７の中間部に設けられてなる汲取りサイン１８が汲取タンク正面側の右上端部へ設けられた汲取サイン表示窓から出現する。
【００７７】
当該汲取りサイン１８が当該汲取サイン表示窓から出現したところで、使用者は汲取タンク１５内部に貯留された汚水Ｗの量が増加し、開口２０からの放水が必要となったことを知ることができる。
【００７８】
次に、実施形態におけるポータブルトイレ１の清掃について詳説する。
【００７９】
前記の通り、汲取りサイン１８を通して、ポータブルトイレ１の清掃が必要であることを知った使用者は、ポータブルトイレ１の清掃を行うことができる。
【００８０】
ポータブルトイレ１の清掃を行うために、汚水Ｗの放水が可能な場所へとポータブルトイレ１を移動させるべきである。
【００８１】
次に、使用者は、汲取タンク１５下部に設けられ、背板３下端部に見える、開口２０から閉塞栓２１を抜き、開口２０から汚水Ｗを放水する。
【００８２】
汚水Ｗの放水が終了したら、図８に示すように、小便器回動軸２２を中心に小便器１４を汲取タンク１５の開放口１６から離間する方向へと回動させる。これにより、汲取タンク１５の開放口１６が出現し、使用者は汲取タンク１５の内部を目視して、容易かつ綺麗に汲取タンク１５を清掃することができる。またこの際、例えば、小便器１４を軸着することなく、着脱自在に汲取タンク１５に載置しておくこともできる。
【００８３】
清掃には、例えば、ホースからの放水により汲取タンク１５内部を洗い流した後、ブラシで汲取タンク１５内部の壁面を擦って磨くといった態様が考えられる。この際、洗剤等を用いて清掃することが好ましい。このとき、清掃に使用した洗剤や水は、汲取タンク１５の開口２０から排水される。
【００８４】
汲取タンク１５内部の清掃が終了したら、使用者は小便器回動軸２２を中心に、小便器１４を汲取タンク１５の開放口１６に向って回動させ、小便器１４で開放口１６を閉塞する。この際、小便器係止部２３を開放口１６の正面側へ係止することで、ズレを生じないように開放口１６を小便器１４で閉塞することができる。
【００８５】
その後、使用者は、タンク下部の背板３側へ設けられた開口２０を、閉塞栓２１で閉塞して、清掃を終了する。
【００８６】
なお、しばらくポータブルトイレ１を利用しない場合、使用者は、前記の汲取タンク１５内部の清掃が終了した後、小便器１４を開状態に固定し、かつ天板７を開状態に固定して放置することができる。
【００８７】
この場合には、上方より日光が汲取タンク１５内部に差し込むため、一定時間放置すると、汲取タンク１５内部が乾燥し、かつ、日光消毒が可能である。
【００８８】
次に、ポータブルトイレ１の移動方法、及びポータブルトイレ１の設置について詳説する。
【００８９】
本ポータブルトイレ１は、図１０に示すように、車輪外周面１１が底板４の裏面と面一、かつ、背板３から突出する位置に配設されてなる車輪９を有する。
【００９０】
使用者は、本ポータブルトイレ１を背板３方面へ斜めに傾け、車輪９の車輪外周面１１を地面と接地させ、かつ、底板４を地面から離れさせる。これにより、ポータブルトイレ１は、押し引きすることで移動が可能となる。
【００９１】
また、ポータブルトイレ１を移動させる使用者は、背板３背面に設けられた把手８を手ｈで把持することができる。これにより、人Ｈがポータブルトイレ１を支持して走行できることから安定したポータブルトイレ１の移動が可能となる。
【００９２】
次に、ポータブルトイレ１を設置予定位置まで移動させたら、使用者はポータブルトイレ１を地面と平行に戻しながら、把手８から手ｈを離す。これにより、底板４が地面ｈに接触することでポータブルトイレ１の設置が完了する。
【００９３】
なお、ポータブルトイレ１は、前記の通り、汲取タンク１５よりも正面側に突出してなる底板４を有してなる。当該底板４の長さにより、多少乱雑に把手８から手ｈを離した場合であっても、踏ん張りが効いて、ポータブルトイレ１が正面方向へ倒れるのを防止することができる。さらに、これにより、ポータブルトイレ１の使用時においてもさらなる安定性が実現される。
【００９４】
またさらに、車輪９が図１０に示す位置に配設されてなることにより、ポータブルトイレ１の底板４を地面と平行にして設置している間は、底板４の裏面と地面との間に生ずる摩擦力が働くことで、車輪９によってポータブルトイレ１が前後方向に移動してしまうという事態が生じない。これにより、ストッパー等の部材を設ける必要がなくなり、さらなる軽量化、製造コストの低減等が実現される。
【００９５】
また、ポータブルトイレ１は、左扉５、及び右扉６を閉状態にした後、左扉凹部５ａ、及び右扉凹部６ａを手ｈで把持することで容易にトラックへの積み上げ、積み下ろしをすることもできる。
【００９６】
本考案に係るポータブルトイレ１を利用することで、使用者は種々の効果を得ることができる。
【００９７】
例えば、外側に突出した弧形状の左扉５及び右扉６により、局部を遮蔽して安心して用を足すことができる。
【００９８】
さらに、ポータブルトイレ１は天板７の位置が人Ｈの頭頂の高さより低く、上下の長さが人Ｈの胸の高さ程度となっており、従来の略長方体形状のポータブルトイレ１と比較して、極めて顕著な軽量化、省スペース化を図ることができ、かつ、移動が容易である。
これにより、ポータブルトイレ１は、建設現場や公園などの屋外に運んで設置できる。また、ポータブルトイレ１は、タワーマンションと称される超高層マンションやオフィスビルの建築現場の屋内において、任意の階（フロアー）に容易に運んで設置できる。
【００９９】
また、外側に向けて突出する弧形状を呈した左右扉５，６により、左右に広い使用時空間を確保することができる。
【０１００】
またさらに、上記のように、特定の位置に配設されてなる車輪９、並びに特定の長さを有する底板４によって、車輪９が付いているにも関わらず、使用時には前後に移動等することがなく安定してポータブルトイレ１を利用することができる。
【符号の説明】
【０１０１】
１  ポータブルトイレ
２  箱体
３  背板
４  底板
５  左扉
５ａ  左扉凹部
５ｂ  左扉回動軸
６  右扉
６ａ  右扉凹部
６ｂ  右扉回動軸
７  天板
７ａ  持ち手 
７ｂ  天板回動軸
８  把手
９  車輪
１０  車輪軸 
１１  車輪外周面
１２  扉着設具
１３  小便器ユニット
１４  小便器
１４ａ  小便器孔
１５  汲取タンク
１６  開放口
１７  汲取りサイン表示ポール
１８  汲取りサイン
１９  浮き
２０  開口
２１  閉塞栓
２２  小便器回動軸
２３  小便器係止部
Ｈ  人
ｈ  手
Ｗ  汚水
【図１】
0003221489.tif 000003
【図２】
0003221489.tif 000004
【図３】
0003221489.tif 000005
【図４】
0003221489.tif 000006
【図５】
0003221489.tif 000007
【図６】
0003221489.tif 000008
【図７】
0003221489.tif 000009
【図８】
0003221489.tif 000010
【図９】
0003221489.tif 000011
【図１０】
0003221489.tif 000012